(57)【要約】【課題】  検査の進行状況の把握が容易で、効率的な検査ワークフローを実現するＸ線撮影装置を提供すること。【解決手段】  Ｘ線撮影装置は、操作部及び撮影画像の表示部を同一画面上で提供するタッチパネルモニタを含む。複数の撮影方法に対応する複数のボタンを表示し、撮影可能状態となった第１の撮影方法に対応する第１のボタンをフォーカス表示する。第１の撮影方法による撮影が完了すると、撮影画像を表示部に表示し、第１のボタンを、撮影が完了したことを示す態様で表示し、第１のボタンのフォーカスを解除し、次に撮影可能状態となった第２の撮影方法に対応する第２のボタンにフォーカスを遷移させる。【選択図】  図７
2010148720.tif 000002
【特許請求の範囲】
【請求項１】
あらかじめプログラムされた複数の撮影方法で被検者を撮影可能な画像撮影装置であって、
撮影に係る操作部および撮影によって得られた画像の表示部を同一画面上で提供するタッチパネルモニタと、
前記タッチパネルモニタにおける表示を制御する表示制御手段と、
を有し、
前記表示制御手段は、
前記複数の撮影方法のそれぞれに対応する複数のボタンをあらかじめプログラムされた順序で前記操作部に表示し、
前記複数のボタンのうち、撮影可能状態となった第１の撮影方法に対応する第１のボタンを、撮影可能状態であることを示す撮影可能フォーカスによってフォーカスした状態で表示し、
前記第１の撮影方法による撮影が完了したとき、当該撮影によって得られた画像を前記表示部に表示し、かつ、前記第１のボタンの前記撮影可能フォーカスを解除し、次に撮影可能状態となった第２の撮影方法に対応する第２のボタンに前記撮影可能フォーカスを遷移させるとともに、前記第１のボタンを、前記表示部に前記第１の撮影方法による撮影によって得られた画像が表示されていることを示す画像表示フォーカスによってフォーカスした状態で表示する
ことを特徴とする画像撮影装置。
【請求項２】
前記表示制御手段は、更に、前記第１の撮影方法による撮影によって得られた画像のサムネイル画像を前記第１のボタンに表示することを特徴とする請求項１に記載の画像撮影装置。
【請求項３】
前記表示制御手段は、更に、
フォーカスされた前記第２のボタンに対応する前記第２の撮影方法による撮影が撮影可能状態となっていることを示すメッセージを表示する一方、
前記表示部に表示されている前記第１の撮影方法による前記画像に対する画像処理を指定するための画像処理ボタンを表示する
ことを特徴とする請求項１又は２に記載の画像撮影装置。
【請求項４】
前記複数のボタンのうち、前記サムネイル画像が表示されているボタンが操作者によって押下されたとき、前記表示制御手段は、当該押下されたボタンに対応する撮影方法による撮影によって得られた画像を前記表示部に表示することを特徴とする請求項２に記載の画像撮影装置。
【請求項５】
前記複数の撮影方法の追加、変更、又は削除を行う手段を更に有することを特徴とする請求項１乃至４のいずれか１項に記載の画像撮影装置。
【請求項６】
撮影に係る操作部および撮影によって得られた画像の表示部を同一画面上で提供するタッチパネルモニタを含み、あらかじめプログラムされた複数の撮影方法で被検者を撮影可能な画像撮影装置における画像の表示制御方法であって、
前記複数の撮影方法のそれぞれに対応する複数のボタンをあらかじめプログラムされた順序で前記操作部に表示し、前記複数のボタンのうち、撮影可能状態となった第１の撮影方法に対応する第１のボタンを、撮影可能状態であることを示す撮影可能フォーカスによってフォーカスした状態で表示するステップと、
前記第１の撮影方法による撮影が完了したとき、当該撮影によって得られた画像を前記表示部に表示し、かつ、前記第１のボタンの前記撮影可能フォーカスを解除し、次に撮影可能状態となった第２の撮影方法に対応する第２のボタンに前記撮影可能フォーカスを遷移させるとともに、前記第１のボタンを、前記表示部に前記第１の撮影方法による撮影によって得られた画像が表示されていることを示す画像表示フォーカスによってフォーカスした状態で表示するステップと、
を有することを特徴とする画像の表示制御方法。
【請求項７】
コンピュータに請求項６に記載の画像の表示制御方法を実行させるためのプログラム。
【発明の詳細な説明】
【技術分野】
【０００１】
本発明は、画像の撮影を行う画像撮影装置及び画像撮影装置における画像の表示制御方法に関する。
【背景技術】
【０００２】
従来、医療分野における放射線画像撮影では、被写体にＸ線を照射し、透過したＸ線の強度を検出することによりＸ線画像撮影を行う。近年では、透過したＸ線を電気信号に変換しデジタルデータとしてＸ線画像を得る撮影システムが多く用いられるようになっている。
【０００３】
Ｘ線撮影システムは、Ｘ線を放射するＸ線発生装置と、Ｘ線を検出し画像を形成するＸ線撮影装置と、これらの装置を制御する制御部、操作者の入力を受け付ける入力部、検査情報および撮影画像情報を表示する表示部で構成される。
【０００４】
病院では上記のＸ線撮影システムを使用したＸ線検査が日常的に行われている。Ｘ線検査は、一般的に、各診療科の医師によって撮影部位や撮影方法が記載された検査依頼書が作成される。放射線科において、撮影技師は検査依頼書に従ってＸ線撮影システムを操作し、Ｘ線検査を実施する。
【０００５】
また、現在では、院内ネットワークが構築されている病院もあり、このネットワークに各種医療装置が接続され、病院情報システム（ＨＩＳ）、放射線情報システム（ＲＩＳ）、医用画像サーバ等と連携している。
【０００６】
院内ネットワークが構築された病院では、検査依頼書を発行する代わりに、ＨＩＳ端末でＸ線検査の検査依頼を発行する。放射線科では、ＲＩＳ端末で受け付けた検査依頼がＸ線撮影システムに取り込まれ、医師の検査依頼通りにＸ線検査が実施される。
【０００７】
多くのＸ線検査は複数枚の撮影を必要とする場合が多い。撮影枚数が多い検査の場合、撮影技師は次の撮影部位はどこなのか、現在何枚目までの撮影を終えているのか、といった検査の進捗状況の把握が難しくなる。検査の進捗状況を把握できない状況になってしまった場合には、撮影画像をＸ線フィルムに現像して確認しなければならなかった。
【０００８】
このような課題に対して、検査の進捗状況が一目で確認できるように、表示モニタに依頼された撮影項目の一覧表示を設ける方法が提案されている。（例えば、特許文献１参照）。この方法では、現在の対象である撮影項目がどれであるか、それぞれの撮影項目が撮影前か撮影済であるかを判別しやすい表示形態となっているため、撮影技師にとって検査の進行状況を大変把握しやすい。
【０００９】
【特許文献１】特許第３２５９６５９号公報
【発明の開示】
【発明が解決しようとする課題】
【００１０】
撮影技師がＸ線検査を実施する際には、まず患者ＩＤ、患者名等の患者情報の入力と複数の撮影方法をプログラムしておく撮影情報入力を行い、検査を開始する。
【００１１】
ＲＩＳ端末により撮影依頼を受ける場合には、検査する患者を患者リストから選択して検査を開始する。この場合は、撮影情報も患者情報に紐付いており、患者の選択をもって同時に入力される。次に、入力した撮影方法一覧の中から撮影する項目を選択し、Ｘ線を照射する。撮影した画像は直ちに液晶モニタに表示され、適切に撮影できていれば次の撮影へと移る。全ての撮影を終えると検査を終了し、次の患者の撮影に移る。
【００１２】
このような検査のフローにおいて、検査技師は数種類の画面を操作しながら検査を実施する。まず、患者情報を入力する患者情報入力画面、撮影のプログラムを入力するプログラム入力画面で検査情報を入力し検査を開始する。検査を開始後は、撮影条件を設定する撮影条件設定画面、撮影した画像を表示する撮影画像表示画面において撮影条件設定や撮影画像の確認を行う。さらに、画像処理が必要な場合には画像処理画面を操作する。
【００１３】
当然、各画面間の遷移には、画面を遷移させる動機となるための操作が必要である。例えば、従来のＸ線撮影システムでは、Ｘ線撮影を行うと撮影画像表示画面に撮影画像が表示され、撮影技師は適切な撮影が行われているかを確認すると、画像を確定するボタンを押すことで、次の撮影条件設定画面へ画面を遷移させる。従って、Ｘ線撮影の度に、画像確定操作をする必要がある。
【００１４】
しかし、救命救急センターのような緊急性の高いＸ線検査を実施する施設では、できる限り短時間で必要な撮影を実施し救命処置に移る必要がある。上記のように、撮影の度に一旦患者のもとを離れて画像を確定しに行かなければならないワークフローでは、非常に大きな時間の損失となっていた。
【００１５】
そこで、本発明者は、撮影条件設定画面と撮影画像表示画面を一画面で構成し、画像確認の手間を省くことで複数回の撮影を迅速に実施することができると考えた。画像確認の操作を省くためには、撮影した画像の画像処理操作の待機中であっても、次の撮影方法の撮影可能状態に遷移し、Ｘ線照射も待機しておく必要がある。しかし、撮影画像表示中の撮影方法と撮影可能状態にある撮影方法との２つのフォーカスを撮影方法一覧において制御しなければならないという問題がある。
【００１６】
本発明は、上記の問題点に鑑みて、撮影方法の持つ属性に応じて複数のフォーカスを適切に制御し、検査の進行状況の把握が容易で、効率的な撮影ワークフローを実現する画像撮影装置及び画像の表示制御方法を提供することを目的とする。
【課題を解決するための手段】
【００１７】
本発明の一側面によれば、あらかじめプログラムされた複数の撮影方法で被検者を撮影可能な画像撮影装置が提供される。この画像撮影装置は、撮影に係る操作部および撮影によって得られた画像の表示部を同一画面上で提供するタッチパネルモニタと、前記タッチパネルモニタにおける表示を制御する表示制御手段とを有し、前記表示制御手段は、前記複数の撮影方法のそれぞれに対応する複数のボタンをあらかじめプログラムされた順序で前記操作部に表示し、前記複数のボタンのうち、撮影可能状態となった第１の撮影方法に対応する第１のボタンを、撮影可能状態であることを示す撮影可能フォーカスによってフォーカスした状態で表示し、前記第１の撮影方法による撮影が完了したとき、当該撮影によって得られた画像を前記表示部に表示し、かつ、前記第１のボタンの前記撮影可能フォーカスを解除し、次に撮影可能状態となった第２の撮影方法に対応する第２のボタンに前記撮影可能フォーカスを遷移させるとともに、前記第１のボタンを、前記表示部に前記第１の撮影方法による撮影によって得られた画像が表示されていることを示す画像表示フォーカスによってフォーカスした状態で表示することを特徴とする。
【発明の効果】
【００１８】
本発明によれば、撮影方法一覧内に撮影ステータスの異なる撮影方法を混在させ、撮影ステータスを一目で確認できる表示にすることで、検査の進行状況が把握しやすい画像撮影装置を実現できる。また、本発明によれば、次の撮影対象と画像表示対象の両撮影方法に対する操作が可能となるため、操作回数の少ない効率的な撮影ワークフローを実現できる。
【発明を実施するための最良の形態】
【００１９】
以下、図面を参照して本発明の好適な実施形態について詳細に説明する。なお、本発明は以下の実施形態に限定されるものではなく、本発明の実施に有利な具体例を示すにすぎない。また、以下の実施形態の中で説明されている特徴の組み合わせの全てが本発明の課題解決手段として必須のものであるとは限らない。
【００２０】
図１は、本実施形態におけるＸ線撮影システムの構成を示す図である。
【００２１】
画像撮影装置としてのＸ線撮影装置は、Ｘ線撮影装置制御部１００１、Ｘ線撮影装置操作・表示部１００５、Ｘ線発生装置であるＸ線管１０００Ａ及び１０００Ｂ、Ｘ線管を制御するＸ線発生装置制御部１００４を含む。Ｘ線撮影装置操作・表示部１００５は、撮影に係る操作部および撮影によって得られた画像の表示部を同一画面上で提供するタッチパネルモニタで構成される。このタッチパネルモニタ及び不図示のキーボードから技師の操作入力を受け付ける。
【００２２】
Ｘ線撮影装置制御部１００１には、電源、画像転送および制御信号用のデータケーブル１００６を介して、Ｘ線撮影ユニット１００３Ａ、１００３Ｂが接続される。Ｘ線撮影ユニット１００３Ａ、１００３Ｂはそれぞれ、立位及び臥位の撮影台１００２Ａ、１００２Ｂに設置されている。
【００２３】
Ｘ線撮影装置制御部１００１は、不図示のＣＰＵ、ＲＯＭ、ＲＡＭ、ハードディスク等を有する典型的なコンピュータ装置で構成することができる。このＸ線撮影装置制御部１００１は、ネットワーク１００８を介して、放射線部門内情報システム（ＲＩＳ）１０１４、画像サーバ（ＰＡＣＳ）１０１６、院内情報システム（ＨＩＳ）１０１９と接続されている。また、Ｘ線撮影装置制御部１００１は、ＲＩＳ１０１４から検査情報を受信してこれを保持し、操作者の入力に従って、Ｘ線撮影ユニット１００３Ａ、１００３ＢおよびＸ線発生装置制御部１００４を制御する。Ｘ線撮影装置制御部１００１は、更に、Ｘ線撮影装置操作・表示部１００５を構成するタッチパネルモニタに対する表示制御手段としても機能する。
【００２４】
技師（操作者）は、ＲＩＳ１０１４からの検査依頼に応じて、検査情報を入力する。検査情報の入力とは、具体的には、患者名、患者ＩＤなどを含む患者情報の入力と、あらかじめ複数の撮影方法をプログラムしておく撮影情報の入力のことである。検査入力を終了し、検査開始ボタンが押されると、検査入力が確定する。確定された検査情報は、図２のような撮影情報管理テーブルとして、Ｘ線撮影装置制御部１００１内の不図示のＲＡＭなどのメモリに保存される。最初は全撮影方法に対して撮影ステータスとして「未撮影」が設定される。
【００２５】
撮影装置操作・表示部１００５には、図３のような撮影画面が表示される。検査ＩＤ、患者ＩＤ、患者名等の検査情報が検査情報表示領域３００１に表示される。メッセージ領域３００２には、Ｘ線照射可能状態などＸ線撮影装置のステータスや、エラーメッセージ等が表示される。また、撮影によって得られた画像は撮影画像表示領域３００３に表示される。画像処理設定領域３００４は、鉛マークやアノテーションの添付や、ＲＯＩ調整、トリミング等の撮影画像表示領域３００３の画像に画像処理を施すための操作部である。
【００２６】
撮影方法一覧３００６には入力した撮影情報に従い、それぞれの撮影方法に対応した撮影方法ボタン３００７が予めプログラムされた順序で並んでいる。撮影方法ボタン３００７Ａ、３００７Ｂ等には、撮影方法名称３００９が表示され、撮影画像のサムネイル画像を表示するサムネイル領域３００８がある。
【００２７】
撮影画面に遷移すると、撮影ステータスが未撮影の、撮影可能状態となった撮影方法（第１の撮影方法）に対応するボタン（第１のボタン）が、図３の頭蓋骨正面ボタン３００７Ａのように自動的に選択状態になる。ここで選択状態となった頭蓋骨正面ボタン３００７Ａには、次の撮影対象であることを表すフォーカス（以下、撮影対象フォーカス）があたる。
【００２８】
撮影対象フォーカスの遷移に伴い、頭蓋骨正面に対して設定された撮影条件が撮影条件設定領域３０１０に表示され、管電圧、管電流および照射時間等の情報がＸ線発生装置制御部１００４に送信される。Ｘ線発生装置制御部１００４と撮影に使用するＸ線撮影ユニット１００３の準備が整うと、Ｘ線撮影装置は撮影可能状態へ遷移し、メッセージ領域３００２に撮影可能状態であることを示すメッセージ（「ＲＥＡＤＹ」）が表示される。
【００２９】
図４は、本実施形態におけるＸ線画像撮影時のフォーカス制御処理のフローを表す図である。操作者は、撮影方法を確認し、撮影のセッティングおよび患者のポジショニングを行う。撮影準備が完了して撮影可能状態になり（ステップＳ２００１）、Ｘ線照射スイッチが押されるとＸ線画像を撮影する（ステップＳ２００２）。Ｘ線の照射が終了すると、撮影情報管理テーブルの頭蓋骨正面ボタン３００７Ａに対応する撮影ステータスは撮影済に更新され（ステップＳ２００３）、撮影対象フォーカスは解除される（ステップＳ２００４）。
【００３０】
Ｘ線撮影装置制御部１００１はＸ線撮影ユニット１００３から画像データを取り込む。画像データは、撮影方法に対して設定された画像処理条件に従って画像処理され、撮影画像表示領域３００３に表示される（ステップＳ２００５）。撮影画像の表示に伴い、頭蓋骨正面ボタン３００７Ａには画像表示されている撮影方法であることを表すフォーカス（以下、画像表示フォーカス）があたる（ステップＳ２００６）。同時に、その撮影方法による撮影が完了したことを示す態様として、撮影方法ボタン内のサムネイル領域３００８にもサムネイル画像が表示される。これにより操作者は、未撮影か撮影済であるかを一目で判別できる。
【００３１】
撮影対象フォーカスは、撮影ステータスが未撮影である胸部正面ボタン３００７Ｂ（第２のボタン）へと移る（ステップＳ２００８）。その後、Ｘ線撮影装置は遷移先における撮影方法（第２の撮影方法）で次の撮影可能状態へと遷移する（ステップＳ２００１）。
【００３２】
以上のように、撮影画面では撮影ステータスの値に応じた２つのフォーカスが存在し、Ｘ線撮影装置制御部１００１はそれぞれが独立して動作するようにフォーカス制御を行う。
【００３３】
フォーカス自動遷移処理の実行後、撮影画面は例えば図５のようになっており、撮影方法一覧３００６には、撮影対象と画像表示の２つのフォーカスが存在している。メッセージ領域３００２では、撮影対象フォーカスのある胸部正面ボタン３００７Ｂに対する撮影可能状態が表示されており、撮影可能ならばＸ線照射スイッチを押下することができる。一方、画像処理設定領域３００４には、鉛マーク、アノテーション、ＲＯＩ調整、トリミング等の画像処理ボタンが表示され、画像表示フォーカスのある頭蓋骨正面ボタン３００７Ａの撮影画像に対する処理を行うことができる。従って、撮影対象フォーカスと画像表示フォーカスのある両撮影方法ボタンに対する操作が可能である。
【００３４】
同様のフォーカス制御でさらに撮影を進めると、撮影情報管理テーブルは図６のように更新され、画面は図７のようになる。上記のフォーカス制御では、撮影方法一覧３００６に並んだ撮影方法ボタン３００７を上から順に撮影することになるが、検査依頼の順序が撮影に適切な順序であるとは限らない。
【００３５】
例えば、本実施形態では、胸部正面の撮影後、胸部側面、腹部正面の順で撮影がプログラムされている。しかし、胸部正面の次に腹部正面を先に撮影すれば、Ｘ線撮影ユニット１００３のみをセッティングしなおすだけで、患者の整位が必要なく撮影を行うことができる。この例のように、一連の検査内で患者の整位回数が少ないほど、患者に負担をかけずに撮影を実施できることになる。
【００３６】
このように撮影順序が適切でない場合には、撮影方法ボタンを指定し、撮影方法ボタン３００７により次の撮影対象を指定する。図８の撮影方法の指定に伴うフォーカス制御のフローチャートを用いて撮影方法の指定における挙動を説明する。
【００３７】
図７の状態で腹部正面ボタン３００７Ｄが押されると（ステップＳ２１０１）、Ｘ線撮影装置制御部１００１は検査情報管理テーブルから撮影ステータスを参照する（ステップＳ２１０２）。腹部正面ボタン３００７Ｄの撮影ステータスは未撮影であるため、腹部正面が次の撮影対象として指定されたことになる。Ｘ線撮影装置制御部１００１は、撮影対象フォーカスを胸部側面ボタン３００７Ｃから移動させ（ステップＳ２１０３）、Ｘ線撮影装置を撮影可能状態へと遷移させる（ステップＳ２１０４）。
【００３８】
頭蓋骨正面ボタン３００７Ａが押された場合は、撮影ステータスが撮影済であるため、Ｘ線撮影装置制御部１００１は、画像表示対象として指定されたと判断し、画像表示フォーカスを胸部正面ボタン３００７Ｂから移動させる（ステップＳ２１０５）。同時に、画像表示領域に頭蓋骨正面の画像を表示する（ステップＳ２１０６）。
【００３９】
また、検査の過程において、撮影プログラムを編集し、追加撮影を行う場合がある。図９にプログラム編集画面の例を示す。図１０は、プログラム編集を行う場合のフローチャートである。
【００４０】
プログラム編集ボタン３０９９が押されると（ステップＳ２２０１）、Ｘ線撮影装置制御部１００１は、撮影対象フォーカスと画像表示フォーカスのそれぞれの位置を記憶する（ステップＳ２２０２）。その後、プログラム編集画面へと遷移する（ステップＳ２２０３）。プログラム編集画面の撮影方法一覧３００６では、フォーカス制御方法が撮影ステータスに関わらない単一のフォーカス制御に切り替わる（ステップＳ２２０４）。
【００４１】
プログラム編集画面には、撮影方法一覧３００６に撮影方法ボタンを追加するための撮影方法追加ボタン３０１１が並んでいる。撮影方法追加ボタンが押されると、フォーカスの当たっている撮影方法ボタン３００７Ｂの次に、新しく撮影方法ボタンが挿入される（ステップＳ２２０５）。
【００４２】
撮影方法ボタンの追加を終えると、ＯＫボタン３０１３により編集を確定し（ステップＳ２２０６）、撮影画面に戻る（ステップＳ２２０７）。フォーカス制御方法は撮影ステータス毎のマルチフォーカス制御に切り替わる（ステップＳ２２０８）。このとき、プログラム編集画面に遷移する際に記憶しておいた撮影方法ボタンに撮影対象フォーカス、画像表示フォーカスを再設定する（ステップＳ２２０９）。フォーカス位置を記憶し、再設定することによって、Ｘ線撮影装置を、プログラム編集画面へ遷移する直前の状態へと戻すことができるため、操作者の混乱を避けることができる（ステップＳ２２１０）。こうして、複数の撮影方法の追加、変更、又は削除を行うことができる。
【００４３】
撮影方法には撮影に使用するＸ線撮影装置を特定する情報が付随しており、メッセージ領域３００２には、撮影可能状態となったＸ線撮影装置情報が表示される。例えば、図７に示すようなＸ線撮影装置は立位のＸ線撮影ユニット１００３Ａが撮影可能状態へと遷移しているが、被検者は身体に不自由があり、直立姿勢を保つことが困難であったとする。このような場合には、直立の必要のない臥位のＸ線撮影ユニット１００３Ｂを使用して撮影を行う。本実施形態の画面では、撮影対象フォーカスのある撮影方法を再度押下することにより、Ｘ線撮影装置の変更画面を表示する。図１１にＸ線撮影装置変更画面の例を示す。操作者は、Ｘ線撮影装置ボタン３０１６Ａ、３０１６Ｂ、３０１６Ｃより撮影に使用するＸ線撮影装置を選択することができる。ＯＫボタン３０１８が押下されるとＸ線撮影装置変更画面は閉じられ、Ｘ線撮影装置は変更されたＸ線撮影装置での撮影可能状態へと遷移する。Ｃａｎｃｅｌボタン３０１７が押下されたときは元のＸ線撮影装置での撮影可能状態に戻る。
【００４４】
一方、撮影後には、所見や撮影失敗の理由などの撮影画像に関するコメントを残す場合がある。本実施形態の画面において、画像表示フォーカスのある撮影方法が再度押下されると、表示中の画像に付随する情報の編集画面を表示する。図１２に付随情報編集画面の例を示す。操作者は、付随情報入力欄３０２０に撮影画像に対するコメントを入力することができる。そして、ＯＫボタン３０２２を押下すると、付随情報編集画面は閉じられ、入力されたコメントが撮影方法の付随情報として保存される。なお、Ｃａｎｃｅｌボタン３０２１を押下したときは、付随情報の保存はせずにそのまま付随情報編集画面は閉じられる。
【００４５】
以上のように、選択状態の撮影方法ボタンを再度押下することにより撮影方法が再指定された場合に、Ｘ線撮影装置制御部１００１は、撮影ステータスに応じて異なる動作をするように画面を制御する。
【００４６】
本実施形態では、ネットワーク１００８に接続し、ＲＩＳ１０１４より実施する検査情報を取得する例を用いた。しかし、ネットワーク１００８と接続をしない運用で、Ｘ線撮影装置上で登録した複数の撮影方法についても、本発明を適用可能である。
【００４７】
また、本実施形態では、撮影ステータスに応じたマルチフォーカスと、単一フォーカスのフォーカス制御を切り替える例を用いたが、複数のマルチフォーカス制御を切り替える場合についても本発明を適用可能である。
【００４８】
（他の実施形態）
以上、本発明の実施形態を詳述したが、本発明は、複数の機器から構成されるシステムに適用してもよいし、また、一つの機器からなる装置に適用してもよい。
【００４９】
なお、本発明は、前述した実施形態の各機能を実現するプログラムを、システム又は装置に直接又は遠隔から供給し、そのシステム又は装置に含まれるコンピュータがその供給されたプログラムコードを読み出して実行することによっても達成される。
【００５０】
したがって、本発明の機能・処理をコンピュータで実現するために、そのコンピュータにインストールされるプログラムコード自体も本発明を実現するものである。つまり、上記機能・処理を実現するためのコンピュータプログラム自体も本発明の一つである。
【００５１】
その場合、プログラムの機能を有していれば、オブジェクトコード、インタプリタにより実行されるプログラム、ＯＳに供給するスクリプトデータ等、プログラムの形態を問わない。
【００５２】
プログラムを供給するためのコンピュータ読み取り可能な記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００５３】
また、プログラムは、クライアントコンピュータのブラウザを用いてインターネットのホームページからダウンロードしてもよい。すなわち、ホームページから本発明のコンピュータプログラムそのもの、もしくは圧縮され自動インストール機能を含むファイルをハードディスク等の記録媒体にダウンロードしてもよい。また、本発明のプログラムを構成するプログラムコードを複数のファイルに分割し、それぞれのファイルを異なるホームページからダウンロードする形態も考えられる。つまり、本発明の機能・処理をコンピュータで実現するためのプログラムファイルを複数のユーザに対してダウンロードさせるＷＷＷサーバも、本発明の構成要件となる場合がある。
【００５４】
また、本発明のプログラムを暗号化してコンピュータ読み取り可能なＣＤ−ＲＯＭ等のコンピュータ読み取り可能な記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【００５５】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部又は全部を行ってもよい。もちろん、この場合も、前述した実施形態の機能が実現され得る。
【００５６】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部又は全部を行ってもよい。このようにして、前述した実施形態の機能が実現されることもある。
【図面の簡単な説明】
【００５７】
【図１】本発明の実施形態におけるＸ線撮影システムの概略構成を示す図である。
【図２】本発明の実施形態における検査情報管理テーブルを示す図である。
【図３】本発明の実施形態における撮影画面表示例を示す図である。
【図４】本発明の実施形態におけるＸ線画像撮影時のフォーカス制御処理を表したフローチャートである。
【図５】本発明の実施形態における撮影画面表示例を示す図である。
【図６】本発明の実施形態における検査情報管理テーブルを示す図である。
【図７】本発明の実施形態における撮影画面表示例を示す図である。
【図８】本発明の実施形態における撮影方法指定時のフォーカス制御処理を表したフローチャートである。
【図９】本発明の実施形態におけるプログラム編集画面表示例を示す図である。
【図１０】本発明の実施形態における画面遷移時のフォーカス制御処理を表したフローチャートである。
【図１１】本発明の実施形態におけるＸ線撮影装置変更画面表示例を示す図である。
【図１２】本発明の実施形態における付随情報編集画面表示例を示す図である。
【図１】
2010148720.tif 000003
【図２】
2010148720.tif 000004
【図３】
2010148720.tif 000005
【図４】
2010148720.tif 000006
【図５】
2010148720.tif 000007
【図６】
2010148720.tif 000008
【図７】
2010148720.tif 000009
【図８】
2010148720.tif 000010
【図９】
2010148720.tif 000011
【図１０】
2010148720.tif 000012
【図１１】
2010148720.tif 000013
【図１２】
2010148720.tif 000014